(57)【要約】【課題】通話相手や印刷データを送信した送信元に応じて通常モードかサイレントモードかの設定が行える複合機および複合機制御方法を提供する。【解決手段】  画面左側には、「ＰＣプリント」というタイトルと、印刷される画像の縮小画像（サムネイル画像）と、それぞれの縮小画像に対応して氏名と時間とが表示される。印刷中に、電話の着信があった場合、または電話中に印刷データが送付された場合に、印刷データを送信した人や、印刷に要する時間を知ることにより、サイレントモードに切り替えてもよいか否かを、このＰＣプリントの表示を参照して判断することができる。【選択図】図３
2008167015.tif 000002
【特許請求の範囲】
【請求項１】
通話を行う通話手段と、記録媒体に印刷を行う印刷手段とを備えた複合機であって、
前記印刷手段に係る騒音を抑制するサイレントモードと、前記騒音を抑制しない通常モードとを切り替える切替手段と、
前記通話手段により通話を行う通話元に関する通話元情報を取得する通話元情報取得手段と、
その通話元情報取得手段により取得された通話元情報に応じて、前記サイレントモードか前記通常モードかのいずれかのモードを選択するように前記切替手段に指示する自動モード設定手段とを備えていることを特徴とする複合機。
【請求項２】
通話を行う通話手段と記録媒体に印刷を行う印刷手段とを備えた複合機であって、
前記印刷手段に係る騒音を抑制するサイレントモードと、前記騒音を抑制しない通常モードとを切り替える切替手段と、
その切替手段に前記サイレントモードか前記通常モードかを任意に指示する操作子と、
前記通話手段により通話を行う通話元に関する通話元情報を取得する通話元情報取得手段と、
その通話元情報取得手段により取得された通話元情報を表示する表示手段とを備えていることを特徴とする複合機。
【請求項３】
前記通話元情報取得手段により取得された通話元情報を表示する表示手段を備えていることを特徴とする請求項１に記載の複合機。
【請求項４】
前記通話元情報は、通話元の電話番号を含むものであることを特徴とする請求項１から３のいずれかに記載の複合機。
【請求項５】
複数の通話元情報にそれぞれ対応する関連情報を記憶する関連情報記憶手段と、
前記通話元情報取得手段により取得された通話元情報に基づいて前記関連情報記憶手段に記憶された関連情報を抽出する抽出手段とを備え、
前記表示手段は、前記抽出手段により抽出された関連情報を表示するものであることを特徴とする請求項２から４のいずれかに記載の複合機。
【請求項６】
前記関連情報は、少なくとも氏名、または通話元に関する画像を含むものであることを特徴とする請求項５記載の複合機。
【請求項７】
前記表示手段は、前記通話元情報取得手段により取得された通話元情報と前記抽出手段により抽出された関連情報とを表示するものであることを特徴とする請求項５または６に記載の複合機。
【請求項８】
前記印刷手段により行われる印刷に関する印刷情報を取得する印刷情報取得手段を備え、
前記表示手段は、前記印刷情報取得手段により取得された印刷情報を表示するものであることを特徴とする請求項２から７のいずれかに記載の複合機。
【請求項９】
前記印刷情報取得手段は、前記印刷情報として前記印刷手段により印刷される印刷データの先頭ページの印刷イメージを取得するものであることを特徴とする請求項８記載の複合機。
【請求項１０】
前記印刷情報取得手段は、前記印刷情報として前記印刷手段により印刷される印刷データを送信した送信元の送信元情報を取得するものであることを特徴とする請求項８または９に記載の複合機。
【請求項１１】
複数の送信元のそれぞれに対応して送信元に関する送信元関連情報を記憶する送信元関連情報記憶手段と、
前記印刷情報取得手段により取得された送信元の情報に対応する送信元関連情報を前記送信元関連情報記憶手段から抽出する送信元関連情報抽出手段とを備え、
表示手段は、前記送信元関連情報抽出手段により抽出された送信元関連情報を表示するものであることを特徴とする請求項１０記載の複合機。
【請求項１２】
前記送信元関連情報は、氏名を含むものであることを特徴とする請求項１１記載の複合機。
【請求項１３】
前記表示手段は、前記印刷情報取得手段により取得された印刷情報と、前記送信元関連情報抽出手段により抽出された送信元関連情報とを表示するものであることを特徴とする請求項１１または１２記載の複合機。
【請求項１４】
前記印刷情報は、印刷される印刷データに対応してサイレントモードで印刷を行うことを禁止するサイレントモード禁止情報を含むものであり、
前記印刷情報取得手段が、サイレントモード禁止情報を取得した場合は、サイレントモード禁止情報に対応して取得した印刷データの印刷を行う際に、前記切替手段は、通常モードを選択するものであることを特徴とする請求項１から１３のいずれかに記載の複合機。
【請求項１５】
前記通話手段は、通話を親機から転送可能な子機を備え、
その子機により通話が行われる場合、前記切替手段は、通常モードを選択するものであることを特徴とする請求項１から１４のいずれかに記載の複合機。
【請求項１６】
前記通話手段による通話が終了した場合、前記切替手段は、通常モードを選択するものであることを特徴とする請求項１から１５のいずれかに記載の複合機。
【請求項１７】
通話を行う通話手段と、記録媒体に印刷を行う印刷手段とを備えた複合機における複合機制御方法であって、
前記印刷手段に係る騒音を抑制するサイレントモードと、前記騒音を抑制しない通常モードとを切り替える切替ステップと、
前記通話手段により通話を行う通話元に関する通話元情報を取得する通話元情報取得ステップと、
その通話元情報取得ステップにより取得された通話元情報に応じて、前記サイレントモードか前記通常モードかのいずれかのモードを選択するように前記切替ステップに指示する自動モード設定ステップとを備えていることを特徴とする複合機制御方法。
【発明の詳細な説明】
【技術分野】
【０００１】
本発明は、複合機に関し、特に、通話中に印刷が行われる場合に静粛性を優先し騒音を抑制することができる複合機および複合機制御方法に関するものである。
【背景技術】
【０００２】
従来より、通話機能と印刷機能とを備えた複合機において、印刷中に、通話の着信があった場合に、印刷速度を抑えることにより印刷により発生する騒音を抑制するサイレントモードか、騒音を押さえることなく印刷を行う通常モードかを設定することができる装置が提案されている。
【０００３】
特開２００６−１０３０９５号公報（特許文献１）には、複合機において外部回線からの通話着信を検知する検知手段を備え、印刷中に検知手段が着信を検知した場合は、自動的に印刷速度を抑え静粛性を高める装置が開示されている。
【特許文献１】特開２００６−１０３０９５号公報
【発明の開示】
【発明が解決しようとする課題】
【０００４】
しかしながら、特許文献１に開示された装置では、緊急性を要する印刷、静粛性があまり必要でない相手と通話、子機を使用することにより静粛性が求められない場合などにもサイレントモードに設定され、印刷速度が抑えられて印刷が遅くなるという問題点があった。
【０００５】
本発明は、上記問題点を解決するためになされたものであり、通話相手や印刷データを送信した送信元に応じて通常モードかサイレントモードかの設定が行える複合機および複合機制御方法を提供することを目的とする。
【課題を解決するための手段】
【０００６】
この目的を達成するために、請求項１記載の複合機は、通話を行う通話手段と、記録媒体に印刷を行う印刷手段とを備えたものであって、前記印刷手段に係る騒音を抑制するサイレントモードと、前記騒音を抑制しない通常モードとを切り替える切替手段と、前記通話手段により通話を行う通話元に関する通話元情報を取得する通話元情報取得手段と、その通話元情報取得手段により取得された通話元情報に応じて、前記サイレントモードか前記通常モードかのいずれかのモードを選択するように前記切替手段に指示する自動モード設定手段とを備えている。
【０００７】
請求項２記載の複合機は、通話を行う通話手段と記録媒体に印刷を行う印刷手段とを備えたものであって、前記印刷手段に係る騒音を抑制するサイレントモードと、前記騒音を抑制しない通常モードとを切り替える切替手段と、その切替手段に前記サイレントモードか前記通常モードかを任意に指示する操作子と、前記通話手段により通話を行う通話元に関する通話元情報を取得する通話元情報取得手段と、その通話元情報取得手段により取得された通話元情報を表示する表示手段とを備えている。
【０００８】
請求項３記載の複合機は、請求項１に記載の複合機において、前記通話元情報取得手段により取得された通話元情報を表示する表示手段を備えている。
【０００９】
請求項４記載の複合機は、請求項１から３のいずれかに記載の複合機において、前記通話元情報は、通話元の電話番号を含むものである。
【００１０】
請求項５記載の複合機は、請求項２から４のいずれかに記載の複合機において、複数の通話元情報にそれぞれ対応する関連情報を記憶する関連情報記憶手段と、前記通話元情報取得手段により取得された通話元情報に基づいて前記関連情報記憶手段に記憶された関連情報を抽出する抽出手段とを備え、前記表示手段は、前記抽出手段により抽出された関連情報を表示する。
【００１１】
請求項６記載の複合機は、請求項５記載の複合機において、前記関連情報は、少なくとも氏名、または通話元に関する画像を含むものである。
【００１２】
請求項７記載の複合機は、請求項５または６に記載の複合機において、前記表示手段は、前記通話元情報取得手段により取得された通話元情報と前記抽出手段により抽出された関連情報とを表示する。
【００１３】
請求項８記載の複合機は、請求項２から７のいずれかに記載の複合機において、前記印刷手段により行われる印刷に関する印刷情報を取得する印刷情報取得手段を備え、前記表示手段は、前記印刷情報取得手段により取得された印刷情報を表示する。
【００１４】
請求項９記載の複合機は、請求項８記載の複合機において、前記印刷情報取得手段は、前記印刷情報として前記印刷手段により印刷される印刷データの先頭ページの印刷イメージを取得する。
【００１５】
請求項１０記載の複合機は、請求項８または９に記載の複合機において、前記印刷情報取得手段は、前記印刷情報として前記印刷手段により印刷される印刷データを送信した送信元の送信元情報を取得する。
【００１６】
請求項１１記載の複合機は、請求項１０記載の複合機において、複数の送信元のそれぞれに対応して送信元に関する送信元関連情報を記憶する送信元関連情報記憶手段と、前記印刷情報取得手段により取得された送信元の情報に対応する送信元関連情報を前記送信元関連情報記憶手段から抽出する送信元関連情報抽出手段とを備え、表示手段は、前記送信元関連情報抽出手段により抽出された送信元関連情報を表示する。
【００１７】
請求項１２記載の複合機は、請求項１１記載の複合機において、前記送信元関連情報は、氏名を含むものである。
【００１８】
請求項１３記載の複合機は、請求項１１または１２記載の複合機において、前記表示手段は、前記印刷情報取得手段により取得された印刷情報と、前記送信元関連情報抽出手段により抽出された送信元関連情報とを表示する。
【００１９】
請求項１４記載の複合機は、請求項１から１３のいずれかに記載の複合機において、前記印刷情報は、印刷される印刷データに対応してサイレントモードで印刷を行うことを禁止するサイレントモード禁止情報を含むものであり、前記印刷情報取得手段が、サイレントモード禁止情報を取得した場合は、サイレントモード禁止情報に対応して取得した印刷データを行う際に、前記切替手段は、通常モードを選択する。
【００２０】
請求項１５記載の複合機は、請求項１から１４のいずれかに記載の複合機において、前記通話手段は、通話を親機から転送可能な子機を備え、その子機により通話が行われる場合、前記切替手段は、通常モードを選択する。
【００２１】
請求項１６記載の複合機は、請求項１から１５のいずれかに記載の複合機において、前記通話手段による通話が終了した場合、前記切替手段は、通常モードを選択する。
【００２２】
請求項１７記載の複合機制御方法は、通話を行う通話手段と、記録媒体に印刷を行う印刷手段とを備えた複合機におけるものであって、前記印刷手段に係る騒音を抑制するサイレントモードと、前記騒音を抑制しない通常モードとを切り替える切替ステップと、前記通話手段により通話を行う通話元に関する通話元情報を取得する通話元情報取得ステップと、その通話元情報取得ステップにより取得された通話元情報に応じて、前記サイレントモードか前記通常モードかのいずれかのモードを選択するように前記切替ステップに指示する自動モード設定ステップとを備えている。
【発明の効果】
【００２３】
請求項１記載の複合機によれば、切替手段は、印刷手段に係る騒音を抑制するサイレントモードと騒音を抑制しない通常モードとを切り替え、通話元情報取得手段は、通話手段により通話を行う通話元に関する通話元情報を取得し、自動モード設定手段は、通話元情報取得手段により取得された通話元情報に応じて、サイレントモードか通常モードかを選択するので、通話相手が静粛性を優先する相手である場合にサイレントモードに設定することができる。このことにより、通話元に応じて、自動的にサイレントモードと通常モードとが切り替えられるというという効果がある。なお、サイレントモードとは、、印刷速度が抑制され、通常モードは、印刷速度を低下させずに印刷モードのことをいう。。
【００２４】
請求項２記載の複合機によれば、切替手段は、印刷手段による印刷に係る騒音を抑制するサイレントモードと、騒音を抑制しない通常モードとを切り替え、操作子は、切替手段の切替操作を任意に指示し、通話元情報取得手段は、通話元に関する通話元情報を取得し、表示手段は、通話元情報を表示するので、使用者は、表示手段を視認することにより通話元に関する情報を取得し、通話相手が静粛性を優先する相手である場合に手動でサイレントモードを選択することができる。通話を開始する前に表示手段で確認することができれば、通話を開始する前に、サイレントモードに設定することができるとともに、通話を開始した後で表示された場合でも、通話元の氏名や、肩書きなどの情報が表示されると、サイレントモードに変更するべきか否かを判断することができるという効果がある。なお、操作子は手動でサイレントモードか通常モードかを切り換えることが出来る。
【００２５】
請求項３記載の複合機によれば、請求項１に記載の複合機の奏する効果に加え、通話元情報取得手段により取得された通話元情報を表示する表示手段を備えているので、通話を開始する前に、この表示手段に表示された通話元を認識することができるという効果がある。
【００２６】
請求項４記載の複合機によれば、請求項１から３のいずれかに記載の複合機の奏する効果に加え、通話元情報は、通話元の電話番号を含むものであるので、電話番号により、通話元を認識することができるという効果がある。
【００２７】
請求項５記載の複合機によれば、請求項２から４のいずれかに記載の複合機の奏する効果に加え、複数の通話元情報にそれぞれ対応する関連情報を記憶する関連情報記憶手段と、通話元情報取得手段により取得された通話元情報に基づいて関連情報記憶手段に記憶された関連情報を抽出する抽出手段とを備え、表示手段は、抽出手段により抽出された関連情報を表示するので、通話元の関連情報を関連情報記憶手段に記憶しておくことにより、通話時に、その情報が表示手段に表示され、より的確に通話元の情報を得ることができる。
【００２８】
請求項６記載の複合機によれば、請求項５記載の複合機の奏する効果に加え、関連情報は、少なくとも氏名、または通話元に関する画像を含むものであるので、使用者は、電話番号などの通話元情報を知らなくても、通話元の氏名や顔写真などの画像が表示されれば、通話元を認識することができるという効果がある。
【００２９】
請求項７記載の複合機によれば、請求項５または６に記載の複合機の奏する効果に加え、表示手段は、通話元情報取得手段により取得された通話元情報と抽出手段により抽出された関連情報とを表示するので、使用者は、通話元情報のみ表示するものと比較して、より的確に通信元の情報を得ることができるという効果がある。
【００３０】
請求項８記載の複合機によれば、請求項２から７のいずれかに記載の複合機の奏する効果に加え、印刷手段により行われる印刷に関する印刷情報を取得する印刷情報取得手段を備え、表示手段は、印刷情報取得手段により取得された印刷情報を表示するので、使用者は、印刷情報を視認し、どのような印刷が行われているかを認識することができるという効果がある。特に、印刷を行うように設定した人と、通話を行う人とが異なり、通話を行う人が、どのような印刷を行っているかを知らない場合に、効果がある。
【００３１】
請求項９記載の複合機によれば、請求項８記載の複合機の奏する効果に加え、印刷情報取得手段は、前記印刷情報として、印刷手段により印刷される印刷データの先頭ページの印刷イメージを取得するので、使用者は、表示手段により表示された印刷される印刷データの先頭ページを視認し、どのような印刷が行われているかを知ることができるという効果がある。
【００３２】
請求項１０記載の複合機によれば、請求項８または９に記載の複合機の奏する効果に加え、印刷情報取得手段は、印刷情報として印刷手段により印刷される印刷データを送信した送信元の送信元情報を取得するので、通話を行う人が、印刷を行う人を知ることができるという効果がある。
【００３３】
請求項１１記載の複合機によれば、請求項１０記載の複合機の奏する効果に加え、複数の送信元のそれぞれに対応して送信元に関する送信元関連情報を記憶する送信元関連情報記憶手段と、印刷情報取得手段により取得された送信元の情報に対応する送信元関連情報を送信元関連情報記憶手段から抽出する送信元関連情報抽出手段とを備え、表示手段は、送信元関連情報抽出手段により抽出された送信元関連情報を表示するので、送信元情報のみでは、送信元の判別がつきにくい場合でも、送信元関連情報により送信元を認識することができるという効果がある。
【００３４】
請求項１２記載の複合機によれば、請求項１１記載の複合機の奏する効果に加え、送信元関連情報は、氏名を含むものであるので、よりよく送信元を認識することができるという効果がある。
【００３５】
請求項１３記載の複合機によれば、請求項１１または１２記載の複合機の奏する効果に加え、表示手段は、印刷情報取得手段により取得された印刷情報と、送信元関連情報抽出手段により抽出された送信元関連情報との両方を表示するので、通話者は一方の情報のみが表示されている場合と比較して具体的にどのような印刷が行われているのかを認識することができるという効果がある。
【００３６】
請求項１４の記載の複合機によれば、請求項1から１３の何れかに記載の複合機の奏する効果に加え、印刷情報にサイレントモード禁止情報が含まれていることで、印刷手段が印刷する際に印刷情報取得手段がサイレントモード禁止情報を取得した場合、切替手段は通常モードを選択する。このため、緊急を要する印刷を行う場合に、サイレントモードへの切替を防止することができる。
【００３７】
請求項１５記載の複合機によれば、請求項１から１４のいずれかに記載の複合機の奏する効果に加え、通話手段は、通話を親機から転送可能な子機を備え、その子機により通話が行われる場合、切替手段は、通常モードを選択するので、子機により通話が行われて、サイレントモードで印刷する必要がない場合に、通常モードで印刷を実行することができるという効果がある。
【００３８】
請求項１６記載の複合機によれば、請求項１から１５のいずれかに記載の複合機の奏する効果に加え、通話手段による通話が終了した場合、切替手段は、通常モードを選択するので、通話中は、サイレントモードで印刷を行い、通話を終了した後は、通常モードで印刷を行うことができるという効果がある。
【００３９】
請求項１７記載の複合機制御方法によれば、切替ステップは、印刷手段に係る騒音を抑制するサイレントモードと、騒音を抑制しない通常モードとを切り替え、通話元情報取得ステップは、通話手段により通話を行う通話元に関する通話元情報を取得し、自動モード設定ステップは、通話元情報取得ステップにより取得された通話元情報に応じて、サイレントモードか通常モードかのいずれかのモードを選択するように切替ステップに指示するので、通話相手が静粛性を優先する相手である場合にサイレントモードに設定することができる。このことにより、通話元に応じて、自動的にサイレントモードと通常モードとが切り替えられるというという効果がある。
【発明を実施するための最良の形態】
【００４０】
以下、本発明の好ましい実施形態について添付図面を参照して説明する。図１は、本発明の実施形態における複合機１の外観構成を示す斜視図である。図１に示すように、複合機１は、下部に設けられたプリンタ部２と、上部に設けられたスキャナ部３と、スキャナ部３の正面側に設けられた操作パネル４と、図示しないが、通話を行う通話手段に該当するハンドセットとを一体的に備え、プリンタ機能、スキャナ機能、コピー機能及びファクシミリ機能を有し、該ハンドセットでの通話が転送可能な子機とを有する。
【００４１】
複合機１は、コンピュータと接続されて、そのコンピュータから送信された印刷データや文書データに基づいて、記録用紙（被記録媒体）に画像や文書を記録したり、デジタルカメラ等の外部機器と接続されてデジタルカメラから出力される画像データを記録用紙に記録したり、メモリカード等の各種記憶媒体を装填して、その記憶媒体に記憶された画像データ等を記録用紙に記録することが可能である。
【００４２】
スキャナ部３は、ＦＢＳ（Flatbed  Scanner）として機能する原稿読取台６に対して、自動原稿搬送機構（ＡＤＦ：Auto  Document  Feeder、以下「ＡＤＦ」という。）７を備えた原稿カバー８が、背面側の蝶番を支点として開閉自在に取り付けられている。
【００４３】
原稿読取台６の上面は大きく開口されており、その開口部にプラテンガラスが嵌め込まれ、原稿読取台６の内部には、上記画像読取ユニットの移動スペースや、画像読取ユニット、それを支持する部材および駆動させる機構などを配設するスペースが確保されている。
【００４４】
ＡＤＦ７は、原稿トレイ９から原稿排出トレイ１０へ原稿搬送路を通じて原稿を搬送するものである。プリンタ部２は、スキャナ部３で読み取られた画像データ或いは外部から入力された画像データに基づいて、選択的にインク滴を吐出することによって、記録用紙上に画像を記録する所謂インクジェット方式の画像記録装置（インクジェット記録装置）である。このプリンタ部２は、上述したように、スキャナ部３の下方に配設されている。  複合機１の正面側、換言すれば、プリンタ部２の正面側には開口５が形成されている。この開口５内に給紙トレイ１４及び排紙トレイ１５が完全に内包されるように設けられている。給紙トレイ１４と排紙トレイ１５は上下二段となるように配設されており、上段に排紙トレイ１５が設けられ、その下方に給紙トレイ１４が設けられている。
【００４５】
複合機１の正面側には、図１に示すように横長形状の操作パネル４が設けられている。操作パネル４は、プリンタ部２やスキャナ部３を操作するためのものであり、各種操作キー４０とＬＣＤ（Liquid  Crystal  Display：液晶表示器）４１とを具備する。このＬＣＤ４１は、縦横比が３：４の画面を横に２個並べ、縦横比が３：８のものである。
【００４６】
使用者は、操作パネル４を用いて、所望の指令を入力することができる。複合機１に所定の指令が入力されると、その入力された情報に基づいて該複合機１の動作が制御部２０（図２参照）によって制御される。操作パネル４に備えられる操作キー４０には、十字キーや、テンキーの他に、印刷モード設定キー４０ａが備えられている。
【００４７】
プリンタ部２が印刷を行う場合に、通常の速度で印刷を行う通常モードと、印刷速度を抑制することにより印刷に係る騒音を抑え、全体的に静粛性が高いサイレントモードとのいずれかを選択することができ、この印刷モード設定キー４０ａを操作することにより手動でモードを設定することができる。
【００４８】
プリンタ部２の上記開口５の上側には、接続パネル７０が設けられ、この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はカード型メモリを装填可能な複数のカードスロットが設けられている。カードスロットにカード型メモリが装填され、該装填されたカード側メモリから画像データが読み出されると、その読み出された画像データや該画像データに関する情報がＬＣＤ４１に表示される。
【００４９】
次に、図２を参照して複合機１の電気的構成の概略について説明する。図２は、複合機１の電気的構成を示すブロック図である。図２に示すように、ＣＰＵ（Central  Processing  Unit）２２、ＲＯＭ（Read  Only  Memory）２３、ＲＡＭ（Random  Access  Memory）２４、フラッシュメモリ２５を主とするマイクロコンピュータが構成されており、バス４６を介して、操作キー４０、表示画面（ＬＣＤ）４１、ＬＡＮインターフェース（Ｉ／Ｆ）３０、スキャナ部３、プリンタ部２、モデム３３、回線制御部３４、子機通信制御部３６などに接続されている。回線制御部３４には、送受話器３５が本体から接続コードにより延長されて接続され、使用者は、この送受話器３５を手に持って、備えられているスピーカを耳に当て、マイクに向かって話すことにより相手側と通話を行うことができる。子機通信制御部３６は、無線によりコードレス子機５０と通信を行うものであり、コードレス子機５０を使用して、送受話器３５に代わって複合機１が設置されている場所とは異なる場所で通話を行うことができる。
【００５０】
ＲＯＭ２３には、ＦＡＸ機能、コピー機能、スキャナ機能などをそれぞれ制御する各種制御プログラムや制御プログラムで用いられる定数やテーブルなどが記憶されている。制御プログラムは、制御プログラムメモリ２３ａに記憶され、図４および図５に示すフローチャートの処理は、この制御プログラムに含まれる。
【００５１】
ＲＡＭ２４は、ランダムにアクセス可能なメモリであり、ＣＰＵ２２が各種機能を実行する際に、一次的に変数やパラメータを記憶するテンポラリエリア２４ａなどを有する。
【００５２】
フラッシュメモリ２５は、各種設定を記憶し書き換え可能な不揮発性のメモリであり、電話帳メモリ２５ａとネットワーク管理メモリ２５ｂとを備えている。電話帳メモリ２５ａは、電話やファクシミリ通信を行う複数の相手の短縮番号に対応して、電話番号と、その通話元の関連情報である氏名と、相手の顔写真または似顔絵などの画像が記憶されている。また、各通話元について、電話による通話を行う場合に、印刷が行われていれば、サイレントモードに設定するか否かが記憶されている。通話相手が、大切な客であるような場合は、「サイレントモードに設定する」と記憶しておくと、その通話元と通話を行う場合に、サイレントモードに設定され、印刷により発生する雑音が相手方に聞こえたり、通話が妨害されることを防止することができる。
【００５３】
ネットワーク管理メモリ２５ｂは、ＬＡＮ２００を介して接続される複数のＰＣ６０の各ＩＰアドレスに対応して、そのＰＣ６０の使用者の送信元関連情報である氏名や部署名などが記憶されている。
【００５４】
ＰＣ６０から印刷データを受信した際に、送信元のＩＰアドレスが検出され、ＩＰアドレスに対応する送信元関連情報をＬＣＤ４１に表示することができる。
【００５５】
スキャナ部３は、ＣＰＵ２２からの指示に基づいて、所定の読取位置（非図示）にセットされた原稿から画像の読み取りを行うと共に、この画像のイメージデータを生成するものである。このスキャナ部３により読み取られたイメージデータは、複合機１がファクシミリ機能に設定されている場合には、そのイメージデータが、モデム３３、回線制御部３４及び電話回線網１００を介して、電話番号等により指定された相手側装置へ送信される。
【００５６】
また、複合機１がコピー機能に設定されている場合には、このスキャナ部３によって生成されたイメージデータは、プリンタ部２により記録紙に印刷される。
【００５７】
プリンタ部２は、ＣＰＵ２２からの指示に基づいて、給紙トレイ１４にセットされた記録紙への印刷を行うためのインクジェット方式のプリンタで構成され、記録紙を搬送する記録紙搬送用モータ（非図示）と、記録紙へインクを吐出する印字ヘッド（非図示）と、その印字ヘッドを搭載したキャリッジ（非図示）を移動させるキャリッジモータ（非図示）とを備えている。印刷を行う印刷データは、ＬＡＮ２００を介してＰＣ６０から送信されたり、スロット部７２に装填されたカード型メモリから入力され、入力された順に従って印刷が行われる。
【００５８】
複合機１が、電話回線網１００、回線制御部３４及びモデム３３を介して相手側装置から受信したファクシミリデータを印字するように設定されている場合には、受信したファクシミリデータに基づいて生成されたイメージデータは、このプリンタ部２によって記録紙に印刷される。
【００５９】
モデム３３は、ＣＰＵ２２からの指示に基づいて、スキャナ部３で生成されたイメージデータを変調して、回線制御部３４を介して電話回線網１００に伝送可能な画像信号を生成したり、電話回線１００から回線制御部３４を介して入力された画像信号をイメージデータに復調するものである。
【００６０】
回線制御部３４は、電話回線網１００からの各種信号の入力と、電話回線網１００への信号の出力を行うと共に、ＣＰＵ２２からの指示に基づいて、電話回線網１００との間で入出力する信号の伝送先及び伝送元となる伝送経路を設定する。この「伝送経路」としては、操作キー４０により画像を送信する（ファクシミリデータを送信する）ための操作が行われる際、又は、電話回線網１００から画像信号を受信した（ファクシミリデータを受信した）際に、モデム３３へ向かう経路が設定される。
【００６１】
ＬＡＮＩ／Ｆ３０は、ＬＡＮ２００を介してＬＡＮ２００に接続されたパーソナルコンピュータ（以下、ＰＣと称す）６０などと通信を行うインターフェースであり、プリンタ部２により印刷される印刷データをＰＣ６０から受信したり、スキャナ部３により読み取られた画像データをＰＣ６０へ送信することができる。このＬＡＮ２００には、複数のＰＣ６０などが接続され、印刷データが送られてくる。したがって、送受話器３５を使用して通話を行う者は、プリンタ部２に印刷データを送信した者（印刷を指示した者）とは異なる。
【００６２】
そこで、送受話器３５を使用して通話を行う者が、緊急を要する印刷を行っているにもかかわらずサイレントモードに変更しないように、ＰＣ６０において、プリンタ部２へ送信する印刷データに、その印刷データを印刷する際に、サイレントモードに設定することを禁止するサイレントモード禁止情報を添付することができる。
【００６３】
また、複合機１では、受信した印刷データを送信したＰＣ６０を判別し、そのＰＣ６０の使用者の氏名を表示する。これにより、送受話器３５を使用して通話を行うものが、印刷データを送信した人を認識し、例えば、重要なポストの人が送信した場合には、不用意にサイレントモードに変更することを防止することができる。
【００６４】
次に図３を参照してＬＣＤ４１に表示される画像について説明する。図３は、ＬＣＤ４１に表示された画像を示すものである。この図は、印刷および電話による通話が行われる場合に表示される画像である。
【００６５】
画面左側には、「ＰＣプリント」というタイトルと、印刷される画像の第１ページの縮小画像（サムネイル画像）４１ａと、それぞれの縮小画像に対応して氏名と時間４１ｂとが表示される。氏名は、ＬＡＮ２００を介して送信したＰＣ６０の所有者を示し、印刷データを受信した際、ＰＣ６０のＩＰアドレスが検出され、ネットワーク管理メモリ２５ｂを参照することにより、ＩＰアドレスに対応する送信元関連情報である氏名が抽出される。
【００６６】
この例では、左側の画像には「ｓａｓａｋｉ」、右側の画像には、「ｋｉｈａｒａ」と表示されている。左側の画像は、太枠で囲むように表示され、現在、印刷が行われていることを示している。また、時間は、印刷に要する時間が表示され、左側の画像については、後１分で印刷を終了することが示され、右側の画像については、印刷の所要時間が５分であることが示されている。印刷時間に代えて、印刷枚数、または印刷時間とともに印刷枚数を表示してもよい。
【００６７】
この複合機１は、印刷中に、電話の着信があった場合、または電話中に印刷データを受信した場合に、通話相手の電話番号に基づいて電話帳メモリ２５ａを参照する。電話帳メモリ２５ａに、その電話番号に対応して、印刷モードをサイレントモードに設定するように指示する情報が記憶されている場合は、印刷モードをサイレントモードに設定する。
【００６８】
電話帳メモリ２５ａに記憶されていない電話番号から着信があった場合や、電話帳メモリ２５ａには、サイレントモードに設定するように指示が記憶されていない場合でも、通話を行う者が任意に印刷モード設定キー４０ａを操作することによりサイレントモードに設定することができる。
【００６９】
また、印刷を行っている場合には、印刷データを送信した人の氏名や、印刷に要する時間が表示され、使用者は、これらの情報を認識することにより、サイレントモードに切り替えてもよいか否かを、このＰＣプリントの表示を参照して判断することができる。
【００７０】
画面右側には、「電話」、「サイレントモード」というタイトルの次に、「ＯＦＦ」「ＯＮ」「切替不可」４１ｃと表示される。現在設定されている印刷モードが通常モードの場合は、「ＯＦＦ」が、現在設定されている印刷モードがサイレントモードの場合は、「ＯＮ」が、網目表示される。また、印刷データに対応して、サイレントモード禁止情報が添付されている場合は、サイレントモードでの印刷が禁止されているので、「切替不可」が、網目表示される。
【００７１】
また、通話相手の氏名が電話帳メモリ２５ａに関連情報として記憶されている場合は、電話帳メモリ２５ａを参照することにより氏名が抽出され、氏名と電話番号４１ｅとが表示される。
【００７２】
また、同様に電話帳メモリ２５ａに電話番号に対応して顔写真、または似顔絵４１ｄが記憶されていいる場合には、電話番号に対応する顔写真、または似顔絵４１ｄが抽出されて表示される。よって、使用者は、電話の受話器を取る前に、ＬＣＤ４１を視認することにより通話相手を認識することができ、通話を開始する前に、サイレントモードに設定することができる。なお、印刷データに対応して、サイレントモードでの印刷を禁止するサイレントモード禁止情報が添付されている場合は、電話帳メモリ２５ａにサイレントモードに切り替えるように指示が記憶されていたり、印刷モード設定キー４０ａが操作された場合でも、サイレントモードに設定されないものとする。
【００７３】
また、通話をコードレス子機５０を使用して行う場合は、サイレントモードに設定しないものとし、サイレントモードで印刷を行っている場合に、親機の送受話器３５からコードレス子機５０に切り替えた場合、またはコードレス子機５０ではなく本体の送受話器３５を使用している場合でも通話を終了した場合は、サイレントモードから通常モードに切り替え、速く印刷を行うように設定する。
【００７４】
次に図４を参照して、ＣＰＵ２２により実行される電話を受信したり印刷データを受信した時に実行される受信制御処理について説明する。図４は、受信制御処理を示すフローチャートである。この受信制御処理は、複合機１の電源が投入されると起動され、電源が遮断されるまで繰り返し実行されるものである。なお、この受信制御処理の説明では、電話の受信と印刷を行う場合について説明するものであり、他のファクシミリ機能やスキャナ機能等については、その説明を省略する。
【００７５】
まず、電話の着信があったか否か判断する（Ｓ１）。電話の着信があった場合は（Ｓ１：Ｙｅｓ）、通話元の電話番号を受信し、その電話番号に対応して電話帳メモリ２５ａに関連情報として記憶されている氏名や似顔絵または顔写真などの画像を抽出し、その抽出した氏名と画像とを表示画面の右側に電話番号と共に表示する（Ｓ２）。電話帳メモリ２５ａに電話番号に対応して関連情報が記憶されていない場合は、電話番号のみを表示する。
【００７６】
次に、プリンタ部２により印刷が行われているか否かを判断し（Ｓ３）、印刷が行われている場合は（Ｓ３：Ｙｅｓ）、印刷のモードを、通常モードとするかサイレントモードとするかの設定を行うモード設定処理を行う（Ｓ４）。このモード設定処理については、図５を参照して後述する。
【００７７】
Ｓ１の判断処理において、電話着信がない場合は（Ｓ１：Ｎｏ）、印刷を行う印刷データを受信したか否かを判断し（Ｓ５）、印刷データを受信していない場合は（Ｓ５：Ｎｏ）、Ｓ１の処理に戻り、印刷データを受信した場合は（Ｓ５：Ｙｅｓ）、印刷データから
第１ページの印刷画像の縮小画像を形成してＬＣＤ４１に表示するとともに、送信元のＩＰアドレスを検出し、ネットワーク管理メモリ２５ｂを参照して、送信元の送信元関連情報である氏名を抽出し、ＬＣＤ４１に表示する。また、印刷データに基づいて、通常モードにより印刷を行った場合に要する所要時間を算出し、ＬＣＤ４１に表示する（Ｓ６）。
【００７８】
次に、電話中であるか否かを判断する（Ｓ７）。電話中である場合は（Ｓ７：Ｙｅｓ）、印刷のモードを、通常モードとするかサイレントモードとするかの設定を行うモード設定処理を行うＳ５の処理に移行し、電話中ではない場合は（Ｓ７：Ｎｏ）、印刷モードを通常モードとして印刷を開始するようにプリンタ部２に指示する（Ｓ８）。Ｓ４の処理を終了した場合、またはＳ８の処理を終了した場合は、Ｓ１の処理に戻る。
【００７９】
次に、図５を参照して上述したＳ４の処理であるモード設定処理について説明する。図５は、モード設定処理を示すフローチャートである。まず、印刷を行う印刷データに、サイレントモードで印刷を行うことを禁止するサイレントモード禁止情報が添付されているか否かを判断する（Ｓ１１）。重要でかつ緊急に印刷を行う必要がある場合には、いかなる場合であってもサイレントモードで印刷を行うことを禁止するようにサイレントモード禁止情報を添付することができる。
【００８０】
サイレントモード禁止情報が添付されている場合は（Ｓ１１：Ｙｅｓ）、サイレントモードに設定しない。印刷が開始されていない場合は、通常モードで印刷を開始するようにプリンタ部２に指示する（Ｓ１２）。サイレントモードでの印刷が禁止されていない場合は（Ｓ１１：Ｎｏ）、次に、通話がコードレス子機５０で行われているか否かを判断する（Ｓ１３）。コードレス子機５０が使用されている場合は（Ｓ１３：Ｙｅｓ）、Ｓ１２の処理により、サイレントモードに設定せず、印刷が開始されていない場合は、通常モードで印刷を開始するようにプリンタ部２に指示する。Ｓ１２の処理を終了した場合は、モード設定処理を終了する。
【００８１】
コードレス子機５０が使用されていない場合は（Ｓ１３：Ｎｏ）、通話相手の電話番号に基づいて自動でサイレントモードに切り替えるか否かを判断する（Ｓ１４）。この判断は、通話相手の電話番号が電話帳メモリ２５ａに登録されているか否かを検索し、電話帳メモリ２５ａに登録されていて、かつ、その電話番号に対応して印刷をサイレントモードで行うよう指示が記憶されているか否かを判断することにより行われる。
【００８２】
電話番号によりサイレントモードに切り替えるように電話帳メモリ２５ａに記憶されている場合は（Ｓ１４：Ｙｅｓ）、プリンタ部２にサイレントモードに切り替えるように指示する（Ｓ１５）。なお、プリンタ部２が印刷を開始していない場合は、サイレントモードで印刷を開始するように指示する。
【００８３】
電話番号によりサイレントモードに切り替えるように電話帳メモリ２５ａに記憶されていない場合は（Ｓ１４：Ｎｏ）、操作パネルに備えられた印刷モード設定キー４０ａが手動で操作されることにより、サイレントモードで印刷を行うように指示されているか否かを判断する（Ｓ１６）。
【００８４】
手動によりサイレントモードで印刷を行うように指示されている場合は（Ｓ１６：Ｙｅｓ）、プリンタ部２にサイレントモードに切り替えるように指示するＳ１５の処理に進む。
【００８５】
Ｓ１５の処理を終了した場合は、操作パネルに備えられた印刷モード設定キー４０ａが手動で操作されることにより、サイレントモードから通常モードに切り替えるように指示されたか否かを判断し（Ｓ１７）、手動により通常モードに切り替えるように指示された場合は（Ｓ１７：Ｙｅｓ）、プリンタ部２に通常モードで印刷を行うように指示する（Ｓ２１）。
【００８６】
手動により通常モードに切り替えるように指示されていない場合は（Ｓ１７：Ｎｏ）、通話が送受話器３５からコードレス子機５０に切り替えられたか否かを判断し（Ｓ１９）、コードレス子機５０に切り替えられた場合は（Ｓ１９：Ｙｅｓ）、プリンタ部２に通常モードに切り替えて印刷を行うように指示し（Ｓ２１）、このモード設定処理を終了する。
【００８７】
コードレス子機５０に切り替えられない場合は（Ｓ１９：Ｎｏ）、送受話器３５を使用している通話が終了したか否かを判断し（Ｓ２０）、通話が終了した場合は（Ｓ２０：Ｙｅｓ）、プリンタ部２が通常モードで印刷を行うように指示し（Ｓ２１）、このモード設定処理を終了する。通話が終了していない場合は（Ｓ２０：Ｎｏ）、プリンタ部２による印刷が終了したか否かを判断し（Ｓ２２）、印刷が終了していない場合は（Ｓ２２：Ｎｏ）、Ｓ１７の処理に戻り、印刷が終了した場合は（Ｓ２２：Ｙｅｓ）、このモード設定処理を終了する。
【００８８】
一方、Ｓ１６の判断処理において、手動でサイレントモードに切り替えるように指示されていない場合は（Ｓ１６：Ｎｏ）、プリンタ部２が印刷を開始していない場合は、通常モードで印刷を開始するように指示を行い、次に、印刷が終了したか否かを判断する（Ｓ２３）。
【００８９】
印刷が終了した場合は（Ｓ２３：Ｙｅｓ）、このモード設定処理を終了し、印刷が終了していない場合は（Ｓ２３：Ｎｏ）、送受話器３５を使用している通話が終了したか否かを判断し（Ｓ２４）、通話が終了した場合は（Ｓ２４：Ｙｅｓ）、このモード設定処理を終了し、通話が終了していない場合は（Ｓ２４：Ｎｏ）、Ｓ１６の処理に戻る。
【００９０】
以上説明したように、上記実施形態によれば、印刷中に電話の着信があった場合、または、電話中に印刷データを受信した場合に、電話番号に応じて、サイレントモードに切り替えるか否かが判定され、大切な客などからの電話である場合、すなわち通話相手が静粛性を優先する相手である場合にのみ、サイレントモードに設定して印刷を行い、静粛性を優先する必要がない通話相手の場合には、通常モードで印刷を行い、印刷速度を優先することができる。
【００９１】
また、電話番号が電話帳に記憶されていない相手と電話する場合などに、ＬＣＤ４１には、印刷データを送信した送信元に関する送信元情報が表示されるので、サイレントモードに手動で切り替えて良いか否かを判断し、サイレントモードに切り替えてもよい印刷データである場合には、サイレントモードに切り替えることができる。
【００９２】
また、緊急を要する印刷を行う場合は、サイレントモードでの印刷を禁止するサイレントモード禁止情報を印刷データに添付し、サイレントモードで印刷されることにより印刷が遅くなることを防止することができる。また、サイレントモードで印刷を行っている場合に、通話が終了したり、コードレス子機５０に切り替えて通話を行う場合には、サイレントモードから通常モードへ切り替えられるので、印刷が遅延することを防止することができる。
【００９３】
なお、請求項に記載の切替手段は、図５に示すフローチャートのＳ１５、Ｓ１２，Ｓ１８、Ｓ２１の処理が該当し、通話元情報取得手段および抽出手段は、図４に示すフローチャートのＳ２の処理が該当し、自動モード設定手段は、図５に示すフローチャートのＳ１４およびＳ１５の処理が該当し、印刷情報取得手段および送信元関連情報抽出手段は、図４に示すフローチャートのＳ６の処理が該当する。
【００９４】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【００９５】
例えば、上記実施形態では、子機は、親機と無線により通信を行うコードレス子機５０であるとしたが、有線で通信を行う子機あるいは転送が可能な他の電話機で受信することとしてもよい。
【００９６】
また、上記実施形態では、印刷データは、パーソナルコンピュータ６０から受信するものとしたが、電話回線を介してファクシミリにより受信し、バッファに記憶された印刷データであってもよい。
【００９７】
また、上記実施形態では、コードレス子機５０を使用している場合に、コードレス子機の使用を中止して、親機（複合機に備えられている電話機）に切り替えて通話を行う場合については、記載していないが、この場合も、図５に示すモード設定処理を行うようにするのがよい。
【００９８】
また、上記実施形態では、印刷データにサイレントモードに設定することを禁止するサイレントモード禁止情報が添付されている場合は、通話相手がだれであってもサイレントモードに設定することができないものとしたが、特定の通話相手の場合には、例え、サイレントモードでの印刷が禁止されている場合でも、サイレントモードに設定するようにしてもよい。
【００９９】
また、上記実施形態では、印刷データを受信した際に、ＬＣＤ４１に氏名を表示するものとしたが、ニックネームや、顔写真などとともに、所属する部署名や、役職なども表示してもよい。また、印刷データを受信した際に、送信者のＩＰアドレスを検出し、そのＩＰアドレスに対応する送信元関連情報をネットワーク管理メモリ２５ｂから読み出すことによりＬＣＤ４１に表示するものとしたが、送信者が印刷データを送信する際に、印刷データのヘッダなどに送信者の送信元関連情報を書き込み、複合機１が、その送信元関連情報を読み取って表示するようにしてもよい。またスロット部７２に装填されたカード型メモリから印刷データを入力する場合は、カード型メモリに使用者の送信元関連情報を記憶し、複合機１が、その関連情報を読み取って表示するようにしてもよい。
【図面の簡単な説明】
【０１００】
【図１】本発明の実施形態における複合機の外観を示す斜視図である。
【図２】複合機の電気的構成を示すブロック図である。
【図３】通話および印刷を行う場合にＬＣＤに表示される表示画面を示す図である。
【図４】受信制御処理を示すフローチャートである。
【図５】モード設定処理を示すフローチャートである。
【符号の説明】
【０１０１】
１              複合機
２              プリンタ部（印刷手段）
２５            フラッシュメモリ
２５ａ          電話帳メモリ（関連情報記憶手段）
２５ｂ          ネットワーク管理メモリ（送信元関連情報記憶手段）
３４            回線制御部（通話手段の一部）
３５            送受話器（通話手段の一部）
４０            操作キー
４０ａ          印刷モード設定キー（操作子）
４１            ＬＣＤ（表示手段）
５０            コードレス子機
６０            パーソナルコンピュータ
【図１】
2008167015.tif 000003
【図２】
2008167015.tif 000004
【図３】
2008167015.tif 000005
【図４】
2008167015.tif 000006
【図５】
2008167015.tif 000007